(57)【要約】      （修正有）【課題】発光体の放射光を所定の方向に制御する反射体を備え、出射部での見栄えや外観性が向上する照明装置、ランプおよび照明器具を提供する。【解決手段】ランプ１は、一端側２ａに照射開口８および他端側２ｂに口金１４を有する装置本体２と、半導体発光素子１６の放射光が照射開口８から出射するように装置本体２内に設けられた発光体３と、装置本体２の他端側２ｂに収納され、半導体発光素子１６を点灯する点灯装置４と、半導体発光素子１６の放射光を反射して出射口２６から照射開口８側に出射する筒状の反射体５と、照射開口８を塞ぐように装置本体２の一端側２ａに取り付けられた透光性のカバー６と、演色剤が混入されて透光性を有する板状に形成され、出射口２６に正対する平面部３２および平面部３２よりも外周側の領域に凹凸部３３を有し、反射体５とカバー６との間に設けられたフィルター７と、を具備している。【選択図】図１
2014157706.tif 000002
【特許請求の範囲】
【請求項１】
一端側に照射開口を有する装置本体と；
半導体発光素子を有し、この半導体発光素子の放射光が前記照射開口から出射するように前記装置本体内に設けられた発光体と；
出射口を有する筒状に形成され、前記半導体発光素子の放射光を反射して前記出射口から前記照射開口側に出射する反射体と；
前記照射開口を塞ぐように前記装置本体の一端側に取り付けられた透光性のカバーと；
演色剤が混入されて透光性を有する板状に形成され、前記出射口に正対する平面部およびこの平面部よりも外周側の領域に凹凸部を有してなり、前記反射体と前記カバーとの間に設けられたフィルターと；
を具備していることを特徴とする照明装置。
【請求項２】
一端側に照射開口および他端側に口金を有する装置本体と；
半導体発光素子を有し、この半導体発光素子の放射光が前記照射開口から出射するように前記装置本体内に設けられた発光体と；
前記装置本体の他端側に収納され、前記口金を介して給電されて動作し前記半導体発光素子を点灯する点灯装置と；
出射口を有する筒状に形成され、前記半導体発光素子の放射光を反射して前記出射口から前記照射開口側に出射する反射体と；
前記照射開口を塞ぐように前記装置本体の一端側に取り付けられた透光性のカバーと；
演色剤が混入されて透光性を有する板状に形成され、前記出射口に正対する平面部およびこの平面部よりも外周側の領域に凹凸部を有してなり、前記反射体と前記カバーとの間に設けられたフィルターと；
を具備していることを特徴とするランプ。
【請求項３】
請求項２記載のランプと；
このランプの前記口金が電気接続されるソケットを有する器具本体と；
を具備していることを特徴とする照明器具。
【発明の詳細な説明】
【技術分野】
【０００１】
本発明の実施形態は、半導体発光素子を光源とし、その放射光を照明に利用する照明装置、ランプおよび照明器具に関する。
【背景技術】
【０００２】
この種のランプや照明装置には、光源として、ＣＯＢ（chip on board）型のＬＥＤモジュールが用いられているものがある。このＬＥＤモジュールは、基板の一面側にＬＥＤベアチップを複数並設するとともにＬＥＤベアチップを包囲するバンク（枠部）を設けて、このバンク内に蛍光体が混じられた透光性樹脂を充填し、この透光性樹脂で各ＬＥＤベアチップを埋設して形成されている。そして、ランプや照明装置は、ＬＥＤモジュールからの放射光が効率よく所定の方向に出射するように、ＬＥＤモジュールに対向して、例えば円錐台の筒状に形成された反射板（反射鏡）を設けているものがある（例えば特許文献１参照。）
【０００３】
また、この種のランプや照明装置には、演色性の高い照射光を得るために、発光体（ＬＥＤ）の前面側に演色評価数変換フィルターを配設しているものがある（例えば特許文献２参照。）。
【先行技術文献】
【特許文献】
【０００４】
【特許文献１】特開２０１１−２５３７８７号公報（第８頁、第３図）
【特許文献２】特開２０１０−１８６７２５号公報（第５頁、第２図）
【発明の概要】
【発明が解決しようとする課題】
【０００５】
ＬＥＤの放射光を所定の方向に制御する反射板および演色評価数変換フィルターを備えたランプや照明装置は、反射板の出射口に正対するフィルター部分を透過した放射光の出射部以外は、演色評価数変換フィルターの効果を目視で確認することが困難である。すなわち、前記出射部以外は、光っているようには見えにくく、ランプや照明装置の出射部の見栄えや外観性を低下させている。
【０００６】
本発明は、発光体の放射光を所定の方向に制御する反射体を備え、出射部での見栄えや外観性が向上する照明装置、ランプおよび照明器具を提供することを目的とする。
【課題を解決するための手段】
【０００７】
本実施形態のランプは、装置本体、発光体、点灯装置、反射体、カバーおよびフィルターを有して構成される。
装置本体は、筐体とも称されるものであり、一端側に照射開口、他端側に口金を有してなる。
【０００８】
発光体は、半導体発光素子を有してなり、この半導体発光素子の放射光が装置本体の照射開口から出射するように装置本体内に設けられる。半導体発光素子は、発光ダイオード（ＬＥＤ）や有機エレクトロルミネセンス（ＥＬ）素子などである。
【０００９】
点灯装置は、装置本体の他端側に収納される。そして、電気的関係においては、その入力側が装置本体の口金に接続され、その出力側が発光体の半導体発光素子に接続される。点灯装置は、口金を介して外部から例えば商用電源が給電されると、動作し、所望の電力に変換し、半導体発光素子を点灯するように形成されている。
【００１０】
反射体は、出射口を有する筒状に形成され、半導体発光素子の放射光を反射するように形成されている。そして、半導体発光素子の放射光を出射口から装置本体の照射開口側に出射するように装置本体内に設けられている。
カバーは、発光体の放射光を透過する透光性を有してなる。そして、装置本体の照射開口を塞ぐように装置本体の一端側に取り付けられる。
【００１１】
フィルターは、演色剤が混入されて透光性を有する板状に形成されている。そして、反射体とカバーとの間に設けられる。このとき、反射体の出射口に正対する平面部および平面部よりも外周側の領域に凹凸部を有するように形成されている。
【発明の効果】
【００１２】
本実施形態によれば、発光体の放射光は、反射体の出射口からフィルターの平面部に入射し、平面部を透過してカバーに入射するとともに、平面部に入射した一部がフィルター内を伝播して凹凸部に達し、凹凸部で拡散して出射し、カバーに入射するので、カバーは、フィルターの平面部に正対する部分の周りも光って見えるとともに放射光が出射され、これにより、カバーからの局部的な光出射が防止されて、カバーを目視したときのカバーの見栄えや外観性が向上することが期待できる。
【図面の簡単な説明】
【００１３】
【図１】本発明の第１の実施形態を示すランプの一部切り欠き概略縦断面図である。
【図２】同上、ランプのカバーを透視した概略下面図である。
【図３】本発明の第２の実施形態を示す照明器具の概略側面図である。
【図４】本発明の第３の実施形態を示す照明装置の概略縦断面図である。
【発明を実施するための形態】
【００１４】
以下、本発明の一実施の形態について、図面を参照して説明する。まず、本発明の第１の実施形態について説明する。
【００１５】
本実施形態のランプ１は、電球形ランプであり、図１に示すように、スポットライトに形成されている。ランプ１は、装置本体２、発光体３、点灯装置４、反射体５、カバー６およびフィルター７を有して構成されている。
【００１６】
装置本体２は、筐体とも称されるものであり、例えばアルミダイキャストにより成型されている。装置本体２は、一端側２ａから他端側２ｂに向かうにつれて次第に縮小する略円錐台状に形成され、一端側２ａに円形の照射開口８、他端側２ｂに取付け部９を有している。取付け部９は、平坦状の土台部１０および円筒部１１に形成されている。そして、一端側２ａの内面２ｃには、周回方向に９０°間隔でダボ１２が設けられている。
【００１７】
取付け部９の円筒部１１には、一端側１３ａが径大に形成された略円筒状の取付け体１３が取り付けられている。取付け体１３は、その一端側１３ａの先端が取付け部９の土台部１０に当接するまで、一端側１３ａに取付け部９の円筒部１１が嵌入されて、装置本体２に取り付けられている。取付け体１３は、電気絶縁性の合成樹脂例えばポリブチレンテレフタレート（ＰＢＴ）樹脂により成型されている。
【００１８】
そして、取付け体１３の他端側１３ｂに口金としてのＥ形の口金１４が取り付けられている。口金１４は、例えばＥ２６形である。取付け体１３は、口金１４と金属である装置本体２とを絶縁している。こうして、装置本体２は、他端側２ｂに取付け体１３を介して口金１４を有している。
【００１９】
発光体３は、平板状の基板１５、この基板１５の一面１５ａ側に複数個が設けられた半導体発光素子としてのＬＥＤベアチップ１６およびＬＥＤベアチップ１６を覆う封止樹脂１７を有して形成されている。基板１５は、例えばアルミニウム（Ａｌ）板からなり、略円形状に形成されて、一面１５ａに図示しない絶縁層を介してＬＥＤベアチップ１６を実装し、図示しない配線パターンを形成している。
【００２０】
ＬＥＤベアチップ１６は、その複数個が例えば同心円上に略等間隔で実装されており、配線パターンにより直列接続されている。ＬＥＤベアチップ１６は、例えば青色光を放射する。そして、複数個のＬＥＤベアチップ１６は、封止樹脂１７により埋められている。
【００２１】
封止樹脂１７は、透光性の例えばシリコーン樹脂であり、図示しない黄色蛍光体が混入されている。当該黄色蛍光体は、ＬＥＤベアチップ１６から放射された青色光が入射されると、青色光を黄色光に波長変換する。この黄色光と、ＬＥＤベアチップ１６から放射された青色光が混色（混光）することにより、発光体３から白色光が放射される。封止樹脂１７の表面は、発光体３の発光面となっている。
【００２２】
そして、発光体３は、その基板１５の一面１５ａ側が装置本体２の照射開口８側となるようにして、基板１５が複数個のねじ１８により、取付け部９の土台部１０に取り付けられている。すなわち、基板１５には、ねじ１８を通す挿通孔１９が形成され、土台部１０には、ねじ１８が螺合されるねじ孔２０が形成されている。そして、基板１５からリード線２１が導出されて、点灯装置４に接続されている。土台部１０には、リード線２１が挿通する貫通孔２２が形成されている。こうして、発光体３は、ＬＥＤベアチップ１６の放射光が装置本体２の照射開口８から出射するように装置本体２内に設けられている。
なお、発光体３は、基板１５に表面実装型の発光ダイオード（パッケージ品）を実装して形成されたものであってもよい。
【００２３】
点灯装置４は、不図示の回路基板およびこの回路基板に実装された回路部品を有してなり、発光体３のＬＥＤベアチップ１６に所定の電流を供給してＬＥＤベアチップ１６を点灯する既知の点灯回路に形成されている。そして、点灯装置４は、取付け体１３内に不図示の取付け手段により取り付けられている。すなわち、点灯装置４は、装置本体２の他端側２ｂに収納されている。
【００２４】
点灯装置４の入力側は、図示しない一対のリード線により、口金１４のアイレット部１４ａおよびシェル部１４ｂにそれぞれ接続されている。また、点灯装置４の出力側は、リード線２１により、発光体３のＬＥＤベアチップ１６に接続されている。点灯装置４は、口金１４を介して給電されると、点灯回路が動作して発光体３のＬＥＤベアチップ１６に所定の電流を供給する。これにより、ＬＥＤベアチップ１６は、点灯（発光）する。
【００２５】
反射体５は、例えば厚さ１．０ｍｍのアルミニウム（Ａｌ）からなり、一端側に円筒部２３および他端側に円形状のフランジ部２４を有するとともに、円筒部２３側からフランジ部２４側に向かうにつれて次第に拡径する円錐台の筒状に形成されている。そして、反射体５は、その円筒部２３内に発光体３の一部が収容されるようにして、そのフランジ部２４が装置本体２のダボ１２に固定されている。円筒部２３の開口は、反射体５の入射口２５となり、フランジ部２６側の開口は、反射体５の出射口２６となっている。そして、反射体５の内面５ｂは、発光体３から放射される白色光を反射する白色反射面に形成されている。
【００２６】
反射体５は、入射口２５からＬＥＤベアチップ１６から放射されて発光体３から放射された放射光を入射し、その内面５ｂで入射した入射光を出射口２６側に反射し、出射口２６からフィルター７を介して装置本体２の照射開口８側に出射する。
【００２７】
なお、反射体５は、円錐台の筒状に限らず、任意の筒状に形成されていてもよい。しかしながら、反射体５は、例えば正角錐状など、回転対称に形成されるのが好ましい。また、反射体５は、金属に限らず、合成樹脂で形成してもよい。この場合、合成樹脂は、光反射性を有し、かつ非透光性を有しまたは非透光性の反射膜が塗布されるものであればよい。また、合成樹脂は、放熱性を有するのが好ましい。合成樹脂としては、例えば、ポリＡＳＡ樹脂（ポリカーボネート樹脂とＡＳＡ樹脂の混合物）を用いることができる。
【００２８】
カバー６は、装置本体２の照射開口８を塞ぐように、装置本体２の一端側２ａに取り付けられている。カバー６は、透光性を有する合成樹脂例えばポリカーボネート（ＰＣ）樹脂にて略盃状に成型されたものであり、底部２７、側壁部２８および係止部２９に形成されている。
【００２９】
底部２７は、円形状であって、その外面２７ａおよび内面２７ｂがそれぞれ略平面状に形成されている。側壁部２８は、底部２７の縁部（外周縁）にその周回に亘って連設するとともに底部２７に対して外方に幾分傾斜するように形成されている。係止部２９は、側壁部２８の縁部（外周縁）にその周回に亘って連設するとともに、底部２７の内面２７ｂ側に傾斜し、装置本体２の環状の爪部３０に係止するように形成されている。
【００３０】
カバー６は、その係止部２９に装置本体２の爪部３０を嵌め込んで、係止部２９を爪部３０に係止させることにより、装置本体２に取り付けられている。係止部２９には、その周回に亘って指の滑り止め用の突起３１が設けられている。
【００３１】
フィルター７は、透光性を有する合成樹脂例えばポリカーボネート（ＰＣ）樹脂に高演色剤を混入したものであり、平面状かつ円盤状の板状に形成されている。フィルター７は、その厚さが反射体５の厚さよりも大きくなるように、３．０〜８．０ｍｍ例えば５．０ｍｍに形成されている。そして、フィルター７は、反射体５とカバー６との間の装置本体２内に設けられており、本実施形態では、反射体５に連続して設けられている。
【００３２】
フィルター７は、反射体５の出射口２６に正対する円形状の平面部３２と、外面７ａ側において、平面部３２の外周側の領域に形成された凹凸部３３とを有してなる。凹凸部３３には、環状の凸条３４が同心円状に複数形成されている。凸条３４は、図２に示すように、ねじ３５の取付け部３６を除いた凹凸部３３に形成されている。凸条３４は、例えば直径０．５〜１．０ｍｍの断面半球に形成され、例えば０．２〜２．０ｍｍの間隔で設けられている。
【００３３】
取付け部３６には、図１に示すように、ねじ３５の挿通孔３７が形成されている。また、反射体５のフランジ部２４には、挿通孔３７に対応して、ねじ３５の挿通孔３８が形成されている。反射体５は、その挿通孔３８がフィルター７の挿通孔３７に合わされてフィルター７に図示しない接着剤により固定されている。そして、ねじ３５がフィルター７の挿通孔３７および反射体５の挿通孔３８を通って、装置本体２のラボ１２に形成されたねじ孔３９に完全にねじ込まれている。これにより、反射体５およびフィルター７は、装置本体２に固定されている。このとき、反射体５の円筒部２３に発光体３の一部が挿入され、フィルター７の平面部３２に発光体３が正対する。
【００３４】
なお、フィルター７および反射体５が離間するように、フィルター７と反射体５のフランジ部２４との間に例えば筒状のスペーサを介在させて、ねじ３５をフィルター７の挿通孔３７、スペーサおよび反射体５の挿通孔３８を通してダボ１２のねじ孔３９に螺着してもよい。また、凹凸部３３には、凸条３４に限らず、凹条が形成されてもよく、周回に亘って突起や凹部（凹み）などが形成されてもよい。
【００３５】
演色剤は、カバー６から出射する発光体３の放射光（白色光）の平均演色評価数（Ｒａ）が上昇するように、フィルター７内に混入されている。例えば、平均演色評価数（Ｒａ）の高い白色光を得るために、演色剤として、シアニン系、スクアリリウム系、アゾメチン系、キサンテン系、オキソノール系、アゾ系、ポリメチン系などの各種化合物、有機金属化合物が混入、分散されている。
次に、本発明の第１の実施形態の作用について説明する。
【００３６】
ランプ１は、照明器具の電球用ソケットに取り付けられる。そして、電球用ソケットから口金１４に外部電源が印加されると、点灯装置４は、口金１４を介して給電されて動作する。点灯装置４は、発光体３のＬＥＤベアチップ１６に所定の電流を出力してＬＥＤベアチップ１６を点灯させる。ＬＥＤベアチップ１６から青色光が放射され、この青色光と、封止樹脂１７内に混入された黄色蛍光体により波長変換された黄色光とが混色（混合）して、発光体３から白色光が放射される。
【００３７】
発光体３から放射された放射光は、反射体５の入射口２５から反射体５内に入射し、一部が直接的に出射口２６からフィルター７の平面部３２に入射する。また、入射光の一部は、反射体５の内面５ｂで反射されて、出射口２６からフィルター７の平面部３２に入射する。
【００３８】
フィルター７の平面部３２に入射した放射光は、フィルター７を透過してカバー６の底部２７に入射し、底部２７を透過して外面２７ａから外部空間に出射される。出射光は、高演色剤が混入、分散されたフィルター７を透過しているので、平均演色評価数（Ｒａ）が例えば９４である高い白色光となっている。
【００３９】
また、フィルター７の平面部３２に入射した放射光の一部は、平面部３２の外面７ａおよび内面７ｂで反射され、当該反射の繰り返しによりフィルター７内を伝播して凹凸部３３に達する。凹凸部３３の内面７ｂ側には、反射体５のフランジ部２４が設けられているので、凹凸部３３内に伝播した放射光は、凹凸部３３の外面７ａ側からカバー６側に出射される。
【００４０】
凹凸部３３の外面７ａ側には、凸条３４が形成されているので、凹凸部３３から出射される放射光は、凸条３４により拡散されて出射され、カバー６の底部２７および側壁部２８に入射し、底部２７および側壁部２８を透過して外部空間に出射される。この出射光もフィルター７を透過しているので、演色性の高い白色光となっている。
【００４１】
カバー６は、フィルター７の平面部３２に正対する底部２７部分に、反射体５の出射口２６から出射された出射光の大部分が入射される。したがって、当該底部２７部分は、非常に明るく光って見えるとともに、発光体３から放射された白色光の大部分を外部空間に出射する。また、当該底部２７部分の周りには、フィルター７の凹凸部３３から出射される出射光が入射され、当該底部２７部分の周りも弱いながら光って見えるとともに、白色光が外部空間に出射される。すなわち、カバー６の底部２７および側壁部２８から白色光が出射されることにより、カバー６のほぼ全体が光っているように見えて、カバー６から演色性の高い白色光が出射される。
【００４２】
そして、フィルター７の凹凸部３３から放射光が出射されることにより、反射体５およびフィルター７を装置本体２に取り付けているねじ３５がカバー６を透して見えにくくなる。また、凹凸部３３での光損失が減少し、その分、カバー６から出射される光束が幾分多くなって、出射効率が上昇する。
【００４３】
本実施形態のランプ１によれば、発光体３の放射光は、反射体５の出射口２６からフィルター７の平面部３２に入射し、平面部３２を透過してカバー６に入射するとともに、平面部３２に入射した一部がフィルター７内を伝播して凹凸部３３に達し、凹凸部３３で拡散して出射し、カバー６に入射するので、カバー６は、フィルター７の平面部３２に正対する部分の周りも光って見えるとともに放射光が出射され、これにより、カバー６のほぼ全体が光って見えて、カバー６を目視したときのカバー６の見栄えや外観性を向上できるという効果を有する。
【００４４】
また、フィルター７の凹凸部３３から発光体３の放射光が出射するので、凹凸部３３における光損失を減少できて、カバー６から出射される出射光の出射効率が上昇するという効果を有する。
【００４５】
なお、本実施形態において、反射体５は、出射口２６を有する有底の筒状に形成され、発光体３が出射口２６に正対するようにして底部に設けられるものであってもよい。
次に、本発明の第２の実施形態について述べる。
【００４６】
本実施形態の照明器具４１は、図３に示すように、天井面取付用器具に構成されている。図３において、４２はプラグ、４３はアーム、４４は器具本体、４５はソケット、４６はつまみ、１は図１に示すランプである。
【００４７】
プラグ４２は、天井面に取り付けられたライティングレールに取り付けられるものであり、例えばポリカーボネート樹脂にて円筒状に形成され、アーム４３を水平方向に３６０°回転可能に取り付けている。アーム４３は、例えばアルミニウム合金により長形の円筒状に形成され、器具本体４４を取り付けている。
【００４８】
器具本体４４は、例えばアルミニウム合金により、外周面４４ａに一対の取付け翼４７，４７（図中、一方のみを示す。）が設けられた有底の略円筒状に形成されている。そして、器具本体４４の内部には、磁器製のソケット４５が取付板４８を用いて取り付けられている。このソケット４５に、ランプ１の口金１４（図示しない。）が螺着されて電気接続されている。ソケット４５は、プラグ４２、アーム４３および器具本体４４のそれぞれの内部を通って配線された不図示の電源線により、外部電源に接続されている。
【００４９】
器具本体４４は、一対の取付翼４７，４７において、不図示の回転軸によりアーム４３に取り付けられている。すなわち、器具本体４４は、鉛直方向で９０°回転可能にアーム４３に取り付けられている。そして、一対の取付翼４７，４７の外面４７ａ，４７ａに設けられたつまみ４６，４６を締め付けることにより、所望の鉛直角度でアーム４３に固定される。つまみ４６は、例えば快削黄銅により形成されている。
照明器具４１は、器具本体４４の水平方向および鉛直方向の角度をそれぞれ設定することにより、ランプ１の放射光が所定の方向に照射される。
【００５０】
本実施形態の照明器具４１によれば、カバー６のほぼ全体が光って見えてカバー６から演色性の高い放射光が出射されるランプ１を具備しているので、ランプ１を見上げてカバー６を目視したときのカバー６の見栄えや外観性を向上できるとともに、演色性の高い放射光を所定の方向に出射できるという効果を有する。
次に、本発明の第３の実施形態について説明する。
【００５１】
本実施形態の照明装置５１は、直付け器具であり、図４に示すように形成されている。なお、図４において、図１と同一部分には同一符号を付して説明は省略する。
照明装置５１は、図１に示すランプ１において、取付け体１３が除去され、替りに受け体５２および取付台５３が設けられて構成されている。
【００５２】
受け体５２は、電気絶縁性を有する合成樹脂例えばポリブチレンテレフタレート（ＰＢＴ）樹脂からなり、他端側５２ｂに円形状の鍔部５４を有する略円筒状に形成されている。そして、受け体５２は、その一端側５２ａの先端が取付け部９の土台部１０に当接するまで、一端側５２ａに取付け部９の円筒部１１が嵌入されて、装置本体２に取り付けられている。
【００５３】
受け体５２内には、点灯装置４が不図示の取付け手段により取り付けられている。そして、点灯装置４の端子台５５に接続された入力線５６が受け体５２から導出されている。
受け体５２は、複数個のねじ５７により取付台５３に取り付けられている。受け体５２の鍔部５４には、ねじ５７の挿通孔５８が設けられている。
【００５４】
取付台５３は、金属板例えば冷間圧延鋼板により、平坦状の取付部５９、この取付部５９の長手方向両端からそれぞれ直角に起立する脚部６０，６０およびこの脚部６０，６０から取付部５９と平行となって外方に突出する固定部６１，６１に形成されている。
【００５５】
取付部５９は、受け体５２を塞ぐ大きさの長方形に形成され、受け体５２の鍔部５４に設けられた挿通孔５８に対応するタップ付きのねじ孔６２が複数個設けられている。取付台５３は、挿通孔５８を通したねじ５７がねじ孔６２に完全にねじ込まれることにより、受け体５２に取り付けられている。取付部５９の中央部には、点灯装置４からの入力線５６を引き出すための通孔６３が設けられている。
【００５６】
そして、取付台５３は、天井やレールなどの造営物６４に取り付けられている。本実施形態では、ねじ６５より造営物６４に取り付けられている。すなわち、固定部６１，６１にそれぞれねじ６５の挿通孔６６が形成されており、挿通孔６６を通したねじ６５が造営物６４に形成されたねじ孔６７に完全にねじ込まれている。こうして、照明装置５１は、造営物６４に取り付けられている。
【００５７】
本実施形態の照明装置５１によれば、カバー６のほぼ全体が光って見えてカバー６から高演色性の放射光が出射されるので、照明装置５１を見上げてカバー６を目視したときのカバー６の見栄えや外観性を向上できるとともに、カバー６から演色性の高い放射光を出射できるという効果を有する。
【００５８】
なお、照明装置５１は、その点灯装置４が別置された構成であってもよい。また、装置本体２は、実施形態の発光体３、反射体５、カバー６およびフィルター７を備えれば、所望の形状に形成されてもよいものである。
【００５９】
また、本発明の上述した実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００６０】
１…ランプ、  ２…装置本体、  ３…発光体、  ４…点灯装置、  ５…反射体、  ６…カバー、  ７…フィルター、  ８…照射開口、  １４…口金としてのＥ形口金、  １６…半導体発光素子としてのＬＥＤベアチップ、  ２６…出射口、  ３２…平面部、  ３３…凹凸部、  ４１…照明器具、  ４４…器具本体、  ４５…ソケット、  ５１…照明装置
【図１】
2014157706.tif 000003
【図２】
2014157706.tif 000004
【図３】
2014157706.tif 000005
【図４】
2014157706.tif 000006